【手続補正書】
【提出日】平成18年6月23日(2006.6.23)
【手続補正１】
【補正対象書類名】明細書
【補正対象項目名】特許請求の範囲
【補正方法】変更
【補正の内容】
【特許請求の範囲】
【請求項１】  コンテンツに対するアクセスを管理する方法であって、
デバイスからコンテンツ照会要求を受信するステップと、
前記コンテンツ照会要求に応答して、前記コンテンツのソースの識別子と、前記デバイスが前記コンテンツを解読することを可能にする１つまたは複数の鍵をともに前記デバイスに送信するステップと
を備えたことを特徴とする方法。
【請求項２】  前記識別子と前記１つまたは複数の鍵を送信するステップに先立って、前記コンテンツ照会要求の要求側が前記コンテンツにアクセスすることが許されていることを検証するステップをさらに備えたことを特徴とする請求項１に記載の方法。
【請求項３】  前記コンテンツ照会要求の要求側を検証するステップと、
前記要求側が検証された場合にだけ、前記識別子、および前記１つまたは複数の鍵を送信するステップと
をさらに備えた方法であって、
前記検証するステップは、
前記デバイスが前記コンテンツにアクセスすることが許されていることを検証するステップと、
前記デバイス上で実行されるアプリケーションが前記コンテンツにアクセスすることが許されていることを検証するステップと、
前記デバイスが、前記コンテンツにアクセスすることが許されている地理的区域に関連していることを検証するステップとを含む
ことを特徴とする請求項１に記載の方法。
【請求項４】  前記コンテンツ照会要求の要求側を検証するステップと、
前記要求側が検証された場合にだけ、前記識別子、および前記１つまたは複数の鍵を送信するステップと
をさらに備えた方法であって、
前記検証するステップは、
前記デバイスのユーザが前記コンテンツにアクセスすることが許されていることを検証するステップと、
前記デバイス上で実行されるアプリケーションが前記コンテンツにアクセスすることが許されていることを検証するステップと、
前記ユーザが、前記コンテンツにアクセスすることが許されている国に関連していることを検証するステップとを含む
ことを特徴とする請求項１に記載の方法。
【請求項５】  前記識別子と前記１つまたは複数の鍵を送信するステップに先立って、前記コンテンツの複数のソースを特定し、該複数のソースの１つを選択するステップをさらに備えたことを特徴とする請求項１に記載の方法。
【請求項６】  前記識別子と前記１つまたは複数の鍵を送信するステップに先立って、前記コンテンツの複数のソースを特定するステップをさらに含む方法であって、
前記送信するステップは、前記複数のソースの識別子を前記デバイスに送信するステップを含むことを特徴とする請求項１に記載の方法。
【請求項７】  前記コンテンツ照会要求の要求側の認証を行い、前記要求側が認証された場合にだけ、前記識別子と前記１つまたは複数の鍵を送信するステップをさらに備えたことを特徴とする請求項１に記載の方法。
【請求項８】  前記１つまたは複数の鍵は、対称鍵、および公開鍵／秘密鍵ペアの公開鍵を含むことを特徴とする請求項１に記載の方法。
【請求項９】  コンテンツに対するアクセスを管理する方法であって、
複数のコンテンツパッケージが記憶されている場所のレコードを保持するステップと、
前記複数のコンテンツパッケージの少なくとも１つを解読するのにそれぞれを使用することができる複数の鍵のレコードを保持するステップと、
前記複数のコンテンツパッケージの特定の１つに関して、複数の要求側のデバイスのどれが、前記コンテンツパッケージが記憶されている場所の指示、ならびに前記コンテンツパッケージを解読するのに使用することができる前記複数の鍵の１つを受け取ることができるかを制限するステップと
を備えたことを特徴とする方法。
【請求項１０】  前記制限するステップは、少なくとも、前記デバイス上で実行されるゲームタイトルに基づき、前記複数の要求側のデバイスのどれが、前記指示を受け取ることができるかを制限するステップを含むことを特徴とする請求項９に記載の方法。
【請求項１１】  前記制限するステップは、少なくとも、前記デバイスの識別子に基づき、前記複数の要求側のデバイスのどれが、前記指示を受け取ることができるかを制限するステップを含むことを特徴とする請求項９に記載の方法。
【請求項１２】  前記制限するステップは、少なくとも、前記デバイスのユーザに基づき、前記複数の要求側のデバイスのどれが、前記指示を受け取ることができるかを制限するステップを含むことを特徴とする請求項９に記載の方法。
【請求項１３】  前記制限するステップは、少なくとも、前記デバイスに関連する地理的区域に基づき、前記複数の要求側のデバイスのどれが、前記指示を受け取ることができるかを制限するステップを含むことを特徴とする請求項９に記載の方法。
【請求項１４】  前記複数のコンテンツパッケージのそれぞれが、複数のソースに記憶されることが可能な方法であって、
特定のデバイスに関して、前記複数のソースのどれの指示を前記デバイスが受け取るべきかを選択するステップをさらに備えたことを特徴とする請求項９に記載の方法。
【請求項１５】  １つまたは複数のプロセッサによって実行されたとき、該１つまたは複数のプロセッサが、
コンテンツが記憶されている複数の場所のレコードを保持するステップと、
前記コンテンツを解読するのに使用することができる鍵のレコードを保持するステップと、
デバイスから前記コンテンツを照会する要求を受信するステップと、
前記コンテンツを解読するのに使用することができる前記鍵と、前記コンテンツが記憶されている前記複数の場所の１つの識別子とをともに前記デバイスに送信するステップと
を行うようにさせる複数の命令を記憶したことを特徴とする１つまたは複数のコンピュータ読み取り可能な記録媒体。
【請求項１６】  前記命令は、前記デバイス上で実行されるアプリケーションが前記コンテンツにアクセスすることが許されている場合にだけ、前記１つまたは複数のプロセッサが、前記鍵と前記識別子とをともに前記デバイスに送信するステップをさらに行うようにさせることを特徴とする請求項１５に記載の１つまたは複数のコンピュータ読み取り可能な記録媒体。
【請求項１７】  前記命令は、前記デバイスが前記コンテンツにアクセスすることが許されている場合にだけ、前記１つまたは複数のプロセッサが、前記鍵と前記識別子とをともに前記デバイスに送信するステップをさらに行うようにさせることを特徴とする請求項１５に記載の１つまたは複数のコンピュータ読み取り可能な記録媒体。
【請求項１８】  前記命令は、前記デバイスのユーザが前記コンテンツにアクセスすることが許されている場合にだけ、前記１つまたは複数のプロセッサが、前記鍵と前記識別子とをともに前記デバイスに送信するステップをさらに行うようにさせることを特徴とする請求項１５に記載の１つまたは複数のコンピュータ読み取り可能な記録媒体。
【請求項１９】  前記命令は、前記要求側が、前記コンテンツにアクセスすることが許されている地理的区域に関連している場合にだけ、前記１つまたは複数のプロセッサが、前記鍵と前記識別子とをともに前記デバイスに送信するステップをさらに行うようにさせることを特徴とする請求項１５に記載の１つまたは複数のコンピュータ読み取り可能な記録媒体。
【請求項２０】  前記命令は、前記１つまたは複数のプロセッサが、少なくとも、前記複数の場所のそれぞれに関連するランキングに基づいて前記複数の場所の１つを特定するステップをさらに行うようにさせることを特徴とする請求項１５に記載の１つまたは複数のコンピュータ読み取り可能な記録媒体。
【請求項２１】  前記命令は、前記１つまたは複数のプロセッサが、少なくとも、前記複数の場所のそれぞれに係る現在の負荷に基づいて前記複数の場所の１つを特定するステップをさらに行うようにさせることを特徴とする請求項１５に記載の１つまたは複数のコンピュータ読み取り可能な記録媒体。
【請求項２２】  前記命令は、前記１つまたは複数のプロセッサが、少なくとも、前記デバイスの地理的場所に基づいて前記複数の場所の１つを特定するステップをさらに行うようにさせることを特徴とする請求項１５に記載の１つまたは複数のコンピュータ読み取り可能な記録媒体。
【請求項２３】  前記命令は、前記１つまたは複数のプロセッサが、少なくとも、前記デバイスの加入レベルに基づいて前記複数の場所の１つを特定するステップをさらに行うようにさせることを特徴とする請求項１５に記載の１つまたは複数のコンピュータ読み取り可能な記録媒体。
【請求項２４】  前記命令は、前記１つまたは複数のプロセッサが、少なくとも、前記デバイスのユーザの加入レベルに基づいて前記複数の場所の１つを特定するステップをさらに行うようにさせることを特徴とする請求項１５に記載の１つまたは複数のコンピュータ読み取り可能な記録媒体。
【請求項２５】  前記命令は、前記１つまたは複数のプロセッサが、少なくとも、前記複数のソースのそれぞれの現在の対応可能性に基づいて前記複数の場所の１つを特定するステップをさらに行うようにさせることを特徴とする請求項１５に記載の１つまたは複数のコンピュータ読み取り可能な記録媒体。
【請求項２６】  デバイスの１つまたは複数のプロセッサによって実行されたとき、該１つまたは複数のプロセッサが、
１つのコンテンツのソースを照会する要求をリモートデバイスに送信するステップと、
前記１つのコンテンツを解読するのに使用することができる鍵と、前記１つのコンテンツのソースの識別子とをともに前記リモートデバイスから受信するステップと、
前記ソースから前記１つのコンテンツを取得するステップと、
前記鍵を使用して前記１つのコンテンツを解読するステップと、
前記１つのコンテンツを前記デバイス上にローカルで保存するステップと
を行うようにさせる複数の命令を記憶したことを特徴とする１つまたは複数のコンピュータ読み取り可能な記録媒体。
【請求項２７】  前記命令は、前記１つまたは複数のプロセッサが、前記ソースに関連する公開鍵を使用して前記１つのコンテンツに関連するダイジェストを解読し、前記１つのコンテンツに関するダイジェストを生成し、当該生成されたダイジェストを解読されたダイジェストと比較し、生成されたダイジェストと解読されたダイジェストが同一である場合、前記１つのコンテンツは前記ソースからのものであり、かつ変更されていないと検証することによって、前記ソースから取得された前記１つのコンテンツを検証するステップをさらに行わせることを特徴とする請求項２６に記載の１つまたは複数のコンピュータ読み取り可能な記録媒体。
【請求項２８】  前記１つまたは複数のプロセッサが前記コンテンツを保存するステップを行うようにさせる前記命令は、前記１つまたは複数のプロセッサが、前記デバイスのローカルなハードドライブに前記コンテンツを保存するようにさせる命令を含むことを特徴とする請求項２６に記載の１つまたは複数のコンピュータ読み取り可能な記録媒体。
【請求項２９】  前記ソースは、前記リモートデバイスからの前記ソースの前記識別子の受信前に、前記デバイスに知られていないことを特徴とする請求項２６に記載の１つまたは複数のコンピュータ読み取り可能な記録媒体。
【請求項３０】  前記命令は、前記１つまたは複数のプロセッサが、複数のソースの識別子を受信し、前記１つのコンテンツを取得する源の前記複数のソースの１つを選択するステップをさらに行うようにさせることを特徴とする請求項２６に記載の１つまたは複数のコンピュータ読み取り可能な記録媒体。
【請求項３１】  コンピューティングデバイスにおいて実施される方法であって、
前記コンピューティングデバイスが、別のデバイスによってゲームコンソールに対して特定されており、コンテンツの要求を前記ゲームコンソールから受信するステップと、
要求された前記コンテンツが、前記別のデバイスによって前記ゲームコンソールに通信される鍵を使用して暗号化されており、要求された前記コンテンツを前記ゲームコンソールに送信するステップと
を備えたことを特徴とする方法。
【請求項３２】  前記コンピューティングデバイスに関連する公開鍵／秘密鍵ペアの秘密鍵を使用して暗号化された前記コンテンツのダイジェストを前記ゲームコンソールに送信するステップをさらに備えたことを特徴とする請求項３１に記載の方法。
【請求項３３】  デバイスから１つのコンテンツの要求を受信するように構成された選択モジュールと、
前記デバイスが前記１つのコンテンツにアクセスする許可を有するかどうかを判定するように構成された検証モジュールと
を備えたシステムであって、
前記選択モジュールは、前記検証モジュールが、前記デバイスが前記１つのコンテンツにアクセスする許可を有すると判定した場合、前記コンテンツのソースと、前記デバイスが前記１つのコンテンツを解読することを可能にする１つまたは複数の鍵とをともに前記デバイスに送るようにさらに構成されていることを特徴とするシステム。
【請求項３４】  前記要求は、前記１つのコンテンツを獲得することができる源のソースを照会する要求を含むことを特徴とする請求項３３に記載のシステム。
【請求項３５】  前記検証モジュールは、前記要求の中の情報に少なくとも基づき、前記デバイスが前記１つのコンテンツにアクセスする許可を有するかどうかを判定することを特徴とする請求項３３に記載のシステム。
【請求項３６】  前記検証モジュールは、前記要求が受信された送信元の前記デバイスの識別子に少なくとも基づき、前記デバイスが前記１つのコンテンツにアクセスする許可を有するかどうかを判定することを特徴とする請求項３３に記載のシステム。
【請求項３７】  前記検証モジュールは、前記要求が受信された送信元の前記デバイスの１名または複数名のユーザの識別子に少なくとも基づき、前記デバイスが前記１つのコンテンツにアクセスする許可を有するかどうかを判定することを特徴とする請求項３３に記載のシステム。
【請求項３８】  デバイスからコンテンツ照会要求を受信するための手段と、
前記デバイスが前記コンテンツにアクセスする許可を有するかどうかを判定するための手段と
を備えたシステムであって、
前記要求を受信するための手段は、判定するための手段が前記デバイスが前記コンテンツにアクセスする許可を有すると判定した場合、前記コンテンツのソースと、前記デバイスが前記コンテンツを解読することを可能にする１つまたは複数の鍵とをともに前記デバイスに送るための手段をさらに含む
ことを特徴とするシステム。